【手続補正書】
【提出日】平成17年3月14日(2005.3.14)
【手続補正１】
【補正対象書類名】明細書
【補正対象項目名】特許請求の範囲
【補正方法】変更
【補正の内容】
【特許請求の範囲】
【請求項１】複数の送信アンテナ（48−52）を備えるスペクトラム拡散通信システムで用いる方法であって、
前記送信アンテナ（48−52）の各々からそのアンテナ（48−52）に特有の擬似ランダムチップ符号系列を有するパイロット信号を送信する過程と、
前記送信されたパイロット信号すべてを受信機で受信する過程と、
前記受信されたパイロット信号をそれぞれのパイロット信号の擬似ランダムチップ符号系列を用いてそれぞれフィルタ処理する過程と、
前記フィルタ処理したパイロット信号の各々を特定の重みで重みづけする過程と、
前記重みづけしたパイロット信号を合成信号の形に合成する過程と、
前記合成信号の信号品質に一部基づき前記パイロット信号への前記特定の重みの各々を適応的に調節する過程と、
データ信号の送信を、前記データ信号の互いに異なるスペクトラム拡散出力、すなわち各々が前記送信アンテナ（48−52）にそれぞれ対応の互いに異なる識別子を有するスペクトラム拡散出力が前記送信アンテナ（48−52）からそれぞれ送信されるように行う過程と、
前記データ信号の前記スペクトラム拡散出力を関連のチップ符号系列でそれぞれフィルタ処理する、すなわち前記データ信号の互いに異なるスペクトラム拡散出力をそれぞれのアンテナ（48−52）の前記パイロット信号と関連した調節ずみ重みにしたがって重みづけしてフィルタ処理するとともにフィルタ処理出力を合成することにより前記データ信号を受信する過程と
を含む方法。
【請求項２】前記データ信号の互いに異なるスペクトラム拡散出力が調節ずみの重みに従って送信前に重みづけされる請求項１記載の方法。
【請求項３】前記データ信号の互いに異なるスペクトラム拡散出力が調節ずみの重みに従って受信後に重みづけされる請求項１記載の方法。
【請求項４】前記適応的に調節する過程を最小二乗平均アルゴリズムにより行う請求項１記載の方法。
【請求項５】前記適応的に調節する過程を再帰最小二乗アルゴリズムにより行う請求項１記載の方法。
【請求項６】前記適応的に調節する過程を、誤差信号を生ずるように前記合成信号を理想値と比較することと、前記誤差信号に一部基づき前記パイロット信号対応の前記特定の重みを調節することとによって行う請求項１記載の方法。
【請求項７】前記理想値が１＋j0である請求項６記載の方法。
【請求項８】前記フィルタ処理する過程と重みづけする過程とを同時に行う請求項１記載の方法。
【請求項９】前記送信されたパイロット信号の各々および前記データ信号の前記スペクトラム拡散出力の各々をフィルタ処理する過程をレイク（82−86、100−104）で行う請求項１記載の方法。
【請求項１０】前記送信されたパイロット信号の各々および前記データ信号の前記スペクトラム拡散出力の各々をフィルタ処理する過程をベクトル相関器で行う請求項１記載の方法。
【請求項１１】前記パイロット信号の各々を重みづけする過程をそのパイロット信号対応のレイク（82−86）の各指部を特定の量で重みづけする（144−148、150−154、156−160）ことによって行い、前記データ信号のスペクトラム拡散出力対応のレイクの各指部の重みづけ（190−194、196−200、202−206、274−290）をそれぞれのアンテナ（48−52）のパイロット信号についての前記パイロット信号対応のレイク（82−86）のそれぞれの指部に関連した調節ずみの重みに従って行う（144−148、150−154、156−160）請求項９記載の方法。
【請求項１２】前記パイロット信号の各々を重みづけする過程をそのパイロット信号対応のレイク（82−86）の各指部を重みづけする（144−148、150−154、156−160）ことおよび前記パイロット信号対応のレイク（82−86）の出力を重みづけすることによって行い、前記データ信号スペクトラム拡散出力の各々を重みづけする過程を、前記データ信号スペクトラム拡散出力の各々対応のレイク（100−104）の各指部および出力をそれぞれのアンテナ（48−52）のパイロット信号についての前記パイロット信号対応のレイク（82−86）のそれぞれの指部および出力に関連する調節ずみの重み（144−148、150−154、156−160）に従って重みづけする（190−194、196−200、202−206、274−290）ことによって行う請求項９記載の方法。
【請求項１３】複数の送信アンテナ（48−52）と、
前記送信アンテナ（48−52）の各々からそのアンテナに特有の擬似ランダムチップ符号系列を有するパイロット信号を送信する手段（56−60）と、
データ信号の送信を、前記データ信号の互いに異なるスペクトラム拡散出力、すなわち各々が前記送信アンテナにそれぞれ対応の互いに異なる識別子を有するスペクトラム拡散出力が前記送信アンテナからそれぞれ送信されるように行う手段（378−382、360−376）と
を含む送信機と、
受信アンテナ（80）と、
前記受信アンテナに接続され、前記送信されたパイロット信号の各々をそのパイロット信号の擬似ランダムチップ系列を用いてフィルタ処理するとともにフィルタ処理ずみの前記パイロット信号の各々を特定の重みで重みづけする手段（82−86、88−92）と、
前記重みづけしたパイロット信号を合成信号の形に合成する手段（94）と、
前記パイロット信号の各々の前記特定の重みを前記合成信号の信号品質に一部基づき適応的に調節する手段（98）と、
前記スペクトラム拡散出力をその関連のチップ符号系列でそれぞれフィルタ処理する、すなわち互いに異なる前記データ信号スペクトラム拡散出力をそれぞれのアンテナ（48−52）の前記パイロット信号と関連した調節ずみ重みに従って重みづけしてフィルタ処理するとともにフィルタ処理出力を合成することによって前記データ信号を受信する手段（100−104、106−110、112）と
を含む受信機と
を含むスペクトラム拡散通信システム。
【請求項１４】前記送信機が前記調整ずみの重みに従って前記互いに異なるデータ信号スペクトラム拡散出力を重みづけする手段をさらに含む請求項１３記載の通信システム。
【請求項１５】前記受信機が前記調整ずみの重みに従って前記互いに異なるデータ信号スペクトラム拡散出力を重みづけする手段（82−86）をさらに含む請求項１３記載の通信システム。
【請求項１６】前記適応的に調節する手段（98）が、前記パイロット信号の前記特定の重みを適応的に調節するように最小二乗平均アルゴリズムを用いる請求項１３記載の通信システム。
【請求項１７】前記適応的に調節する手段（98）が、前記パイロット信号の前記特定の重みを適応的に調節するように再帰最小二乗アルゴリズムを用いる請求項１３記載の通信システム。
【請求項１８】前記適応的に調節する手段（98）が、誤差信号を生ずるように前記合成信号を理想値と比較するとともに前記誤差信号に一部基づき前記パイロット信号の各々の前記特定の重みを適応的に調節する手段（168）をさらに含む請求項１３記載の通信システム。
【請求項１９】前記理想値が１＋ｊ０である請求項１８記載の通信システム。
【請求項２０】前記パイロット信号フィルタ処理および重みづけ手段（82−86、88−92）が前記伝送されたパイロット信号をそれぞれフィルタ処理する複数のレイク（82−86）を含み、前記データ信号受信手段（100−104、106−110、112）が前記データ信号スペクトラム拡散出力をそれぞれフィルタ処理する複数のレイク（100−104）を含む請求項１３記載の通信システム。
【請求項２１】前記パイロット信号フィルタ処理および重みづけ手段（82−86、88−92）が前記伝送されたパイロット信号をそれぞれフィルタ処理する複数のベクトル相関器を含み、前記データ信号受信手段（100−104、106−110、112）が前記データ信号スペクトラム拡散出力をそれぞれフィルタ処理する複数のベクトル相関器を含む請求項１３記載の通信システム。
【請求項２２】前記パイロット信号フィルタ処理および重みづけ手段（82−86、88−92）が前記パイロット信号の各々の重みづけをそのパイロット信号対応のレイク（82−86）の各指部を特定の重みで重みづけする（144−148、150−154、156−160）ことによって行い、前記データ信号スペクトラム拡散出力の各々対応のレイクの各指部の重みづけ（190−194、196−200、202−206、274−290）をそれぞれのアンテナ（48−52）のパイロット信号についての前記それぞれの指部と関連した調整ずみの重みに従って行う（144−148、150−154、156−160）請求項２０記載の通信システム。
【請求項２３】前記パイロット信号フィルタ処理および重みづけ手段（82−86）が前記パイロット信号の各々の重みづけを前記パイロット信号対応のレイク（82−86）の各指部の重みづけ（144−148、150−154、156−160）および前記パイロット信号対応のレイク（82−86）の出力の重みづけによって行い、前記データ信号スペクトラム拡散出力の各々の重みづけを前記データ信号スペクトラム拡散出力の各々対応のレイク（100−104）の各指部および出力の重みづけ（190−194、196−200、202−206、274−290）をそれぞれのアンテナ（48−52）のパイロット信号についての前記パイロット信号対応レイク（82−86）のそれぞれの指部および出力に関連した調節ずみの重みに従って行う（144−148、150−154、156−160）請求項２０記載の通信システム。